(57)【特許請求の範囲】
【請求項１】
液保持性の吸収体及び該吸収体の肌当接面側に配置された表面シートを具備する実質的に縦長の吸収性本体と、該吸収性本体の長手方向に沿う両側部それぞれに配置された一対のサイド防漏部材とを備えた吸収性物品であって、
前記表面シートの長手方向に沿う両側縁は、前記吸収体の長手方向に沿う両側縁と同位置にあるか、又は前記吸収体の長手方向に沿う両側縁よりも幅方向外方に位置しており、
一対の前記サイド防漏部材は、それぞれ、前記表面シートの長手方向に沿う側部を被覆するサイドシートを含んで構成されており、
前記サイドシートは、少なくともその一部が、その長手方向に沿う内側縁部よりも幅方向外方において前記表面シートの側部に接合されており、その接合部と該内側縁部との間に、装着時に該内側縁部が起立して内方側に開口する開口部が形成されており、且つ
前記サイドシートは、１）１層の不織布層から構成され且つ該不織布層を厚み方向に貫通する開孔が多数形成されているか、又は２）２層以上の不織布層から構成され且つ全不織布層の坪量の合計が１５０ｇ／ｍ2以下であり且つ該不織布層を厚み方向に貫通する開孔が多数形成されており、
前記表面シートにおける前記サイドシートに被覆された両側部に、撥水処理が施され、その撥水処理が施された部分は、インクが付与されていて、前記吸収性物品を肌当接面側から目視したときに視認可能になされており、
前記撥水処理が施された部分の色彩は、Ｌａｂ表色系において、ａ*≧−１５、ｂ*≧−１５の範囲であるか、又はａ*≦１５、ｂ*≦１５の範囲である吸収性物品。
【請求項２】
前記撥水処理が施された部分は、前記吸収性物品の装着者の排泄部と対向する排泄部対向部を挟んで、該吸収性物品の長手方向左右両側に存している請求項１記載の吸収性物品。
【発明の詳細な説明】
【技術分野】
【０００１】
本発明は、生理用ナプキン、パンティライナー（おりものシート）、失禁パッド等の吸収性物品に関する。
【背景技術】
【０００２】
生理用ナプキン等の吸収性物品においては、物品の側部における体液の漏れが問題となることが多く、斯かる問題を解決するための技術が種々提案されている。例えば特許文献１には、親水性不織布と疎水性不織布とを特定の配列で交互に重ね合わせた不織布が記載されており、該不織布の幅方向中央に親水性熱可塑性繊維を、また該親水性熱可塑性繊維の両側縁部に疎水性熱可塑性繊維を位置させて一体化させた不織布が、吸収性物品の表面シート等として有効であることが記載されている。また、特許文献２には、吸収層及び防漏層を備えた吸収性本体と、該吸収性本体の肌当接面側における両側部それぞれに部分的に接合された一対のサイドシートとを具備し、該サイドシートの接合部と内側縁部との間に、装着時に開口するポケットが形成された吸収性物品が記載されている。
【０００３】
また、吸収性物品の所定部位に、印刷等により外部から視認可能な色彩や図柄を施すことが知られている。例えば特許文献３には、吸収性本体の肌当接面側に設けられた一対のサイド防漏部材に、図柄が印刷により形成された吸収性物品が記載されている。特許文献３に記載の吸収性物品において、図柄は、装着者の肌に実質的に接触しないようになされており、具体的には、サイド防漏部材の肌当接面側に設けられた凹部の底部にインクが転写されて形成された、図柄が挙げられている。また特許文献４には、吸収性本体の肌当接面側で且つ吸収体よりも外方の領域に凹部を設け、該凹部の底部にインクが転写された印刷部を設けて、図柄が形成されている吸収性物品が記載されている。
【０００４】
また特許文献５には、表面シート、裏面シート及び両シート間に介在配置された吸収体を具備する吸収性物品において、吸収体よりも上方に位置する部材（例えば、表面シートと吸収体との間に介在配置された第２表面シート）に、疎水性が増大され且つ完成物品において少なくとも部分的に目視できる、インクの付与領域を設けることが記載されている。
【先行技術文献】
【特許文献】
【０００５】
【特許文献１】特開平２−２２９２５４号公報
【特許文献２】特開２００６−２８０７６５号公報
【特許文献３】特開２００６−１８１１９２号公報
【特許文献４】特開２００６−１８１１９３号公報
【特許文献５】特表２００９−５１２４８９号公報
【発明の概要】
【発明が解決しようとする課題】
【０００６】
特許文献１〜４に記載の技術は、吸収性物品の側部における体液の漏れを防止するための工夫が施されており、そのような工夫が施されていない特許文献５に記載の技術に比して、高い防漏性を奏し得るものである。しかしながら、更に高い防漏性が求められているのが現状であり、これに応える吸収性物品は未だ提供されていない。また、例えば生理用ナプキンの使用者は、使用後のナプキンの側部に経血等の体液が付着しているのを見た場合、実際には漏れが生じていなくても、漏れが生じた場合に感じるのと同様の不快感や防漏性に対する不安感を覚えることが多く、斯かる問題の解決が望まれている。
【０００７】
従って本発明の課題は、側部における体液の漏れを防止し、高い防漏性を発現する吸収性物品を提供することにある。
【課題を解決するための手段】
【０００８】
本発明は、液保持性の吸収体及び該吸収体の肌当接面側に配置された表面シートを具備する実質的に縦長の吸収性本体と、該吸収性本体の長手方向に沿う両側部それぞれに配置された一対のサイド防漏部材とを備えた吸収性物品であって、前記表面シートの長手方向に沿う両側縁は、前記吸収体の長手方向に沿う両側縁と同位置にあるか、又は前記吸収体の長手方向に沿う両側縁よりも幅方向外方に位置しており、一対の前記サイド防漏部材は、それぞれ、前記表面シートの長手方向に沿う側部を被覆するサイドシートを含んで構成されており、前記サイドシートは、少なくともその一部が、その長手方向に沿う内側縁部よりも幅方向外方において前記表面シートの側部に接合されており、その接合部と該内側縁部との間に、装着時に該内側縁部が起立して内方側に開口する開口部が形成されており、前記表面シートにおける前記サイドシートに被覆された両側部、及び／又は前記サイドシートにおける前記表面シートとの対向面に、撥水処理が施され、その撥水処理が施された部分は、インクが付与されていて、前記吸収性物品を肌当接面側から目視したときに視認可能になされている吸収性物品を提供することにより、前記課題を解決したものである。
【発明の効果】
【０００９】
本発明の吸収性物品によれば、サイド防漏部材と、該サイド防漏部材及び／又はその近傍の表面シートに施された撥水処理とにより、側部における体液の漏れが効果的に防止される。
【００１０】
また、前記撥水処理が施された部分が、インクが付与されていて、前記吸収性物品の肌当接面を目視したときに視認可能になされているため、使用者に防漏性に対する安心感を与えることができ、更には、該撥水処理された部分に付着した経血等の体液を隠蔽し、体液の付着に起因する使用者の不快感や防漏性に対する不安感を低減することができる。
【図面の簡単な説明】
【００１１】
【図１】図１は、本発明の吸収性物品の第１実施形態である生理用ナプキンの肌当接面側（表面シート側）を模式的に示す平面図である。
【図２】図２は、図１のＩ−Ｉ線断面を模式的に示す断面図である。
【図３】図３は、図１に示すナプキンにおけるサイドシートの一部を拡大して模式的に示す部分拡大平面図である。
【図４】図４は、本発明の吸収性物品の第２実施形態である生理用ナプキンの肌当接面側（表面シート側）を模式的に示す平面図である。
【図５】図５は、図４のＩＩ−ＩＩ線断面を模式的に示す断面図である。
【図６】図６は、図４のＩＩＩ−ＩＩＩ線断面を模式的に示す断面図である。
【図７】図７は、本発明の吸収性物品の第３実施形態である生理用ナプキンの図５相当図である。
【図８】図８は、本発明の吸収性物品の第４実施形態である生理用ナプキンの図５相当図である。
【発明を実施するための形態】
【００１２】
以下、本発明の吸収性物品を、その好ましい一実施形態である生理用ナプキンに基づき図面を参照して説明する。第１実施形態のナプキン１は、図１及び図２に示すように、液保持性の吸収体４及び該吸収体４の肌当接面側に配置された表面シート２を具備する実質的に縦長の吸収性本体１０と、該吸収性本体１０の長手方向に沿う両側部それぞれに配置された一対のサイド防漏部材５，５とを備えている。
【００１３】
更に説明すると、吸収性本体１０は、ナプキン１の肌当接面を形成する表面シート２、ナプキン１の非肌当接面を形成する裏面シート３、及びこれら両シート２，３間に介在された吸収体４を具備し、図１に示す如き平面視において一方向に長い形状（略矩形形状）をしている。吸収性本体１０（ナプキン１）は、前方部Ａ、中央部Ｂ、後方部Ｃを長手方向に有している。第１実施形態のナプキン１における前方部Ａ、中央部Ｂ、後方部Ｃは、吸収性本体１０を長手方向に３分割した場合の各領域に略相当する。
【００１４】
尚、本明細書において、肌当接面は、吸収性物品又はその構成部材における、吸収性物品の装着時に装着者の肌側に向けられる面であり、非肌当接面は、吸収性物品又はその部材における、吸収性物品の装着時に肌側とは反対側（衣類側）に向けられる面である。また、長手方向は、吸収性物品又はその構成部材の長辺に沿う方向であり、幅方向は、該長手方向と直交する方向である。図中、符号Ｘで示す方向は、物品長手方向（ナプキン長手方向）であり、符号Ｙで示す方向は、物品幅方向（ナプキン幅方向）である。
【００１５】
図２に示すように、表面シート２の長手方向Ｘに沿う両側縁２ｓ，２ｓは、吸収体４の長手方向Ｘに沿う両側縁４ｓ，４ｓよりも幅方向Ｙの外方に位置している。より具体的には、表面シート２は、吸収体４の肌当接面の全域を被覆し、更に吸収体４の左右両側縁４ｓ，４ｓから幅方向外方に延出している。このように、表面シート２の長手方向に沿う両側部（両側縁２ｓ，２ｓ及びそれらの近傍）が吸収体４の幅方向外方に延出していると、例えば、該両側部が吸収体４の下方に巻き込まれて該吸収体４と裏面シート３との間に介在配置されている場合に比して、表面シート２の幅方向Ｙの寸法が短くなるため、ナプキンの構成部材の使用量が低減し、製造コストの低下が図られる。
【００１６】
裏面シート３は、図２に示すように、吸収体４の非肌当接面の全域を被覆し、更に吸収体４の長手方向Ｘに沿う左右両側縁４ｓ，４ｓから幅方向外方に延出しており、その延出部と前述した表面シート２の延出部とが、接着剤、ヒートシール、超音波シール等の公知の接合手段によって互いに接合されている。また、表面シート２及び裏面シート３は、吸収体４の長手方向Ｘの前後端から長手方向外方に延出し、それらの延出部において、公知の接合手段によって互いに接合されている。吸収体４は、図１に示すように、平面視において角が丸みを帯びた略矩形形状をしている。表面シート２及び裏面シート３それぞれと吸収体４との間は接着剤によって接合されていても良い。
【００１７】
吸収性本体１０の肌当接面（表面シート２の肌当接面２ａ）側における長手方向Ｘの左右両側部には、平面視において吸収体４の両側部（両側縁４ｓ，４ｓ及びそれらの近傍）にそれぞれ重なるように、長手方向Ｘに沿って一対のサイド防漏部材５，５が、ナプキン１の長手方向Ｘの略全長に亘って配置されている。一対のサイド防漏部材５，５は、それぞれ、表面シート２の長手方向Ｘに沿う側部を被覆するサイドシート６を含んで構成されている。
【００１８】
サイドシート６は、図２に示すように、ナプキン１の幅方向Ｙの中央寄りに位置する部分６Ａが、シートの折り返しにより２層とされており、その折り返し部が、サイドシート６の内側縁部６１となっている。内側縁部６１は、図１に示すように、ナプキン１の幅方向Ｙの中央部側に、長手方向Ｘに延びる直線状に形成されている。サイドシート６は、このように、折り返し部がナプキン１の幅方向Ｙの中央側に位置するように、２層に折り返されていると、装着時に、後述する開口部７１が開口し易くなるので好ましい。サイドシート６における前記部分６Ａは、ナプキン１の長手方向Ｘの前後端部において、公知の接合手段によって表面シート２と共に裏面シート３に固定されている。また、サイドシート６における、ナプキン１の幅方向Ｙの外方側に位置する部分６Ｂは、公知の接合手段によって裏面シート３に接合されている。裏面シート３及びサイドシート６は、中央部Ｂにおいて、吸収体４の側縁４ｓからの幅方向Ｙの外方への延出長さが最大となっており、それらの最大延出部によって一対のウイング部７，７が形成されている。
【００１９】
サイドシート６は、図２に示すように、その長手方向Ｘに沿う内側縁部６１よりも幅方向Ｙの外方において、吸収体４上にて表面シート２の側部の肌当接面２ａに接合されており、その接合部（第１接合線８）と内側縁部６１との間に、装着時に内側縁部６１が起立してナプキン幅方向Ｙの内方側に開口する、開口部７１が形成されている。より具体的には、一対のサイドシート６、６は、それぞれ、吸収性本体１０の幅方向Ｙの中央側に向って凹状をなす第１接合線８と、該第１接合線８の長手方向Ｘの前後に位置し且つ吸収性本体１０の長手方向に交差するように延びる第２接合線９とで吸収性本体１０に接合されており、一対のサイドシート６、６それぞれにおける第１接合線８と内側縁部６１との間６２と、表面シート２との間に、装着時に開口する開口部７１が形成されている。
【００２０】
一対の第１接合線８，８は、図１に示すように、一対のウイング部７，７を有する中央部Ｂに設けられている。中央部Ｂの幅方向Ｙの中央領域は、ナプキン１の装着者の排泄部と対向する排泄部対向部（図示せず）となっており、一対の第１接合線８，８は、該排泄部対向部を挟んでナプキン１の長手方向Ｘの左右両側に存している。
【００２１】
第１接合線８は、図３に示すように、弧状に長手方向Ｘに延びており、内側縁部６１に近い部分８１、８１と内側縁部６１から遠い部分８２とを有している。第１接合線８の長手方向の長さＬ１と、第１接合線８の内側縁部６１に近い部分８１と内側縁部６１から遠い部分８２との離間距離Ｗ１（揺動幅）とは、Ｌ１＞Ｗ１の関係を満たしていることが好ましい。Ｌ１は、ナプキン１の長手方向Ｘの全長（製品長）に対し１０〜５０％の長さを有していることが好ましい。第１実施形態においては、第１接合線８の長さＬ１は、ウイング部７の基部の長さと略同じである。また、Ｗ１は、製品幅に対し３〜３０％の幅を有することが好ましい。ここでいう製品幅とは、ナプキン１における一対のウイング部７，７それぞれの前後端部間の幅方向の長さをいう。また、ここでいう「近い」及び「遠い」は、遠い部分に比べて近く、近い部分に比べて遠いという相対的な意味である。
【００２２】
第１及び第２接合線８，９は、全体として実質的に連続する一本の接合線であることが好ましい。即ち、第１接合線８と第２接合線９とは、それぞれ、実質的に連続する接合線であり、且つ第１接合線８と第２接合線９との間も、実質的に連続していることが好ましい。実質的に連続するとは、第１実施形態のような連続する接合線の他に、１）複数の接合部を、ナプキン１の幅方向Ｙと平行な任意の直線を想定した場合に該直線と重ならない部分がないように連続的に配置したものや、２）微視的にみると非連続の多数の接合部からなるが、全体として見れば線状の接合部を形成しているようなものを含む趣旨であり、接合部の互いの一部を重複させるようにして、ナプキン１の長手方向Ｘに多数配置してなる接合ラインも含む。
【００２３】
第１接合線８は、ヒートエンボス加工等の公知の接合手段により、図２に示すように、ナプキン１の幅方向中央寄りに位置する部分６Ａの一部を、表面シート２と接合して形成されている。尚、第１接合線８は、サイドシート６を、表面シート２及び吸収体４と共に一体的に圧搾して形成されたものであっても良い。この場合、第１接合線８部分に生じた溝により、液の滲みや拡散が抑制される利点がある。
【００２４】
一対のサイドシート６、６それぞれにおける内側縁部６１と第１接合線８との間の部分６２（図３参照）は表面シート２に接合されておらず、該部分６２と表面シート２との間に開口部７１（図１参照）が形成されている。開口部７１は、ナプキン１の装着時に開口し、その開口してできた空間内に、ナプキン１の幅方向Ｙへ移動した体液が捕らえられるため、ナプキンの防漏性を向上させることができる。また、見た目にも、幅方向の防漏性が高いことが容易に理解できるため、装着者に安心感を与える点でも好ましい。
【００２５】
更に、第１接合線８は、少なくとも一部が、平面視において吸収体４と重なっていることが、開口部７１で捕らえた液がスムーズに吸収体４に吸収され、防漏性が一層向上するので好ましい。開口部７１で捕らえた液は、該開口部７１の手前から奥へ移動する間に吸収体４に吸収されるか、あるいは開口部７１の奥にたどり着いた後、吸収体４側に戻って吸収される。ここで、平面視において吸収体４と重なっているとは、第１接合線８の全体又は一部が、吸収体４が配されている領域（図１においては、吸収体４の輪郭を示す点線で囲まれた領域）内に存することを意味する。第１接合線８は、揺動幅Ｗ１（図３参照）の一部が、吸収体４と重なっていることが好ましく、揺動幅Ｗ１の全体が、吸収体４と重なっていることが更に好ましい。第１実施形態においては、第１接合線８は、図１に示すように、その全長に亘って揺動幅Ｗ１の全体が吸収体４と重なっている。
【００２６】
第１接合線８の長手方向Ｘの前後に位置する第２接合線９は、図３に示すように、内側縁部６１に近い部分９１と内側縁部６１から遠い部分９２とを交互に有するように蛇行しており、長手方向Ｘに沿ってジグザグ形状を有している。内側縁部６１に近い部分９１と内側縁部６１から遠い部分９２との間は、第２接合線９を形成している接合線が長手方向Ｘに交差するように延びて繋がっている。更に説明すると、第２接合線９は、ナプキン１の幅方向Ｙの中央側に向けて凸の円弧状部分と、該中央側に向けて凹の円弧状部分とが交互に連なった形状であり、ナプキン１の長手方向Ｘと平行な部分を有していない。
【００２７】
第２接合線９において、隣り合う内側縁部６１に近い部分９１，９１間の距離Ｌ２が、図３に示すように、第１接合線８の長手方向Ｘの長さＬ１よりも短くなっている。前記距離Ｌ２は、隣り合う内側縁部６１に近い部分９１，９１どうしにおいて、それぞれの内側縁部６１に最も近い点どうし間の距離を長手方向Ｘに沿って測った長さである。また、第２接合線９の内側縁部６１に近い部分９１と内側縁部６１から遠い部分９２との離間距離Ｗ３（揺動幅）は、前述した第１接合線８のシール幅Ｗ２よりも長いことが好ましい。第１接合線８は所定の幅を有しており、第１接合線８の両側縁は微視的には平行な２本の直線とみなせるので、シール幅Ｗ２は、平行な前記２直線間の距離をいう。
【００２８】
一対のサイドシート６、６それぞれにおける第２接合線９と内側縁部６１との間の部分６３（図３参照）は接合されておらず、該部分６３と表面シート２との間には開口部７２が形成されている。開口部７２は、前述した、排泄部対向部を挟んで長手方向Ｘの左右両側に位置する開口部７１と同様に、ナプキン１の装着時に開口することが好ましい。
【００２９】
第２接合線９は、第１接合線８と同様に、ヒートエンボス加工等の公知の接合手段により、ナプキン１の幅方向Ｙの中央寄りに位置する部分６Ａの一部を、表面シート２と接合して形成されている。その他、第２接合線９と吸収性本体１０との接合については、前述した第１接合線８における説明が適宜適用される。また、第２接合線９は、図１に示すように、少なくとも一部が、平面視において吸収体４と重なっていることが、開口部７２で捕らえた液がスムーズに吸収体４に吸収され、防漏性が一層向上するので好ましい。
【００３０】
第１実施形態のナプキン１における第１接合線８の長手方向Ｘの長さＬ１は、４０〜１００ｍｍであることが好ましく、第２接合線９の長手方向Ｘの長さ（蛇行が繰り返される領域）は、４〜５０ｍｍであることが好ましく、Ｌ１の方が長い方が好ましい。また、第２接合線９における前記距離Ｌ２は、４〜３０ｍｍであることが好ましい。Ｌ２／Ｌ１は、４〜７５％であることが好ましい。また、第１接合線８の揺動幅Ｗ１は、２〜１５ｍｍであることが好ましく、第２接合線９の揺動幅Ｗ３は、２〜１５ｍｍであることが好ましい。Ｗ１は、Ｗ３と同じであるか、Ｗ３よりも大きいことが好ましい。
【００３１】
第１実施形態においては、表面シート２におけるサイドシート６に被覆された両側部に、撥水処理が施されている。即ち、図２に示すように、表面シート２における、一対のサイドシート６，６それぞれの内側縁部６の下方に位置する部分から側縁２ｓに亘る、両側部は、その全域がサイドシート６に被覆されていてサイドシート被覆部２１となっており、該サイドシート被覆部２１の全域又は一部に、撥水処理が施されて撥水性を有している。
【００３２】
このように、吸収体４の左右両側部を覆うように配置され且つサイドシート６に被覆されている、表面シート２の両側部（サイドシート被覆部２１）に、撥水処理が施されていることにより、ナプキン１の側部における体液の滲みが効果的に防止され、サイド防漏部材５（サイドシート６）による、ナプキン１の幅方向Ｙへ移動した体液の捕捉効果と相俟って、ナプキン１の両側部における体液の漏れが効果的に防止される。このような撥水処理は、表面シート２が親水処理されたシートである場合に特に有効である。
【００３３】
前記撥水処理は、表面シート２の所定部位に撥水剤を付与することにより実施できる。撥水剤としては、従来公知の撥水剤を用いることができ、例えば、各種サイズ剤、シリコーン樹脂、フッ素樹脂等が挙げられる。撥水剤の付与は、撥水剤又は撥水剤を溶媒に溶解又は分散させて得られた撥水剤含有液を、公知の塗工手段等を用いて、塗工、含浸、噴霧等することにより実施できる。
【００３４】
前記撥水処理は、サイドシート被覆部２１の全域に施しても良く、一部に施しても良いが、撥水処理による防漏性の向上効果をより確実に奏させる観点から、少なくとも、前記排泄部対向部を挟んでナプキン１の長手方向Ｘの左右両側に施すことが好ましい。第１実施形態においては、前方部Ａ、中央部Ｂ及び後方部Ｃに亘って延びる、表面シート２のサイドシート被覆部２１のうち、中央部Ｂに位置している部分の全域に、撥水処理が施されている。即ち、表面シート２における、開口部７１を形成している部分（開口部７１の底部。表面シート２における、平面視において、サイドシート６における第１接合線８と内側縁部６１との間６２と重なる部分。）及び該部分よりも幅方向Ｙの外方に延出している部分に、撥水処理が施されている。
【００３５】
前記撥水処理は、Ａ）表面シート２の肌当接面（サイドシート６との対向面）に施しても良く、Ｂ）表面シート２の非肌当接面（吸収体４との対向面）に施しても良く、あるいはこれら両面に施しても良い。前記Ａ）の撥水処理法は、体液の滲み防止の点で、前記Ｂ）の撥水処理法よりも有効であり、また、後述するようにインクの付与等によって、撥水処理された部分が目視により視認可能となっている場合には、その視認性の向上の点でも有効であるが、サイドシート６との接合面である肌当接面を撥水処理するため、表面シート２とサイドシート６との間の接合強度の低下が懸念される。また、後述するように、撥水処理が、印刷インクの付与による着色処理を伴う場合、前記Ａ）の撥水処理法では、表面シート２の肌当接面に付与されたインクがサイドシート６等の他の部材に移行する、いわゆる色移りが懸念される。これに対し、前記Ｂ）の撥水処理法は、サイドシート６とは対向せず且つナプキン１の肌当接面側に露出しない、表面シート２の非肌当接面を撥水処理するため、前記Ａ）の撥水処理法で懸念される不都合を解消することができる。概ね、撥水処理が施された部分の防漏性及び視認性の点では、前記Ａ）の撥水処理法が好ましく、ナプキン製造時の加工性の点では、前記Ｂ）の撥水処理法が好ましいと言える。
【００３６】
第１実施形態においては、前記撥水処理が施された部分は、インクが付与されていて、ナプキン１をその肌当接面（表面シート２の肌当接面２ａ）側から目視したときに視認可能になされている。即ち、前記撥水処理が施された部分である、中央部Ｂのサイドシート被覆部２１は、印刷により、撥水剤と共に、該部分の地色（通常は白色）以外の色彩のインクが付与されており、これにより、該部分を被覆するサイドシート６を介して、肌当接面２ａ側から目視により視認可能になっている。つまり、第１実施形態における撥水処理は、撥水剤を含むインク（撥水性インク）を印刷により所定部位に施すことによってなされており、印刷インクの付与による着色処理を伴ったものである。
【００３７】
このように、前記撥水処理が施された部分がインクによって着色されて目視により視認可能になされていることにより、該部分の存在を使用者に強くアピールすることができ、使用者に防漏性に対する安心感を与えることができる。また、撥水処理が施された部分がインクによって着色されていることにより、該部分の汚れが目立ちにくくなると共に、該部分に付着した体液を隠蔽し、体液の付着に起因する使用者の不快感や防漏性に対する不安感を低減することができる。
【００３８】
前記撥水処理が施された部分を一層確実に視認可能とする観点から、サイドシート６が不織布である場合、該サイドシート６は、１層の不織布層から構成されることが好ましく、２層以上の不織布層からサイドシート６を構成する場合には、該サイドシート６を構成する全不織布層の坪量の合計を１５０ｇ／ｍ2以下とすることが好ましい。また、同様の観点から、サイドシート６が樹脂フィルムである場合、該樹脂フィルムの光透過率は４０％以上であることが好ましい。また、同様の観点から、サイドシート６を構成する不織布や樹脂フィルムに、該不織布や該樹脂フィルムを厚み方向に貫通する開孔を多数形成し、該開孔によって、前記撥水処理が施された部分を視認可能にすることもできる。該開孔としては、１個の直径が０．３〜２ｍｍの範囲にあるものが好ましい。
【００３９】
このようなインクの付与による体液の隠蔽効果は、特に、前記撥水処理が施された部分の着色後の色彩（インクの色彩）を、排泄される体液の色彩（あるいは該体液が撥水処理された部分に染み込んだときの該部分の色彩）と同系色にすることによって、一層高めることができる。例えば、第１実施形態の如き生理用ナプキンにおいては、撥水処理が施された部分の色彩は、排泄される体液である経血の色彩（赤色）に合わせて、赤色から橙色（Ｌａｂ表色系においてａ*≧−１５、ｂ*≧−１５の範囲）にするか、又は、寒色系（濃色）（Ｌａｂ表色系においてａ*≦１５、ｂ*≦１５の範囲）にすることが好ましい。
【００４０】
前記撥水処理が施された部分におけるインクの付与パターンは、該部分の略全域にインクを付与する（該部分の略全域をインクで塗り潰す）、いわゆるベタ塗りパターンでも良く、あるいは、インクにより形成された図形や文字等からなる所定の図柄が所定のパターンで配置されたものでも良い。防漏性の向上の観点からは、前者のベタ塗りパターンが好ましい。
【００４１】
本発明で用いるインクは、この種の吸収性物品の印刷に適用可能なものであれば特に制限されない。インクには、前述した撥水剤に加えて、着色成分として、通常の印刷インクに用いられる染料や顔料等が含有され、更に、通常各種溶剤や界面活性剤等が含有される。また、インクの付与方法（撥水処理法）としては、通常の印刷法を適宜利用することができ、例えば、インクジェット印刷法、グラビア印刷法等が挙げられる。インクの付与は、吸収性物品の製造装置にインクジェット印刷機等の印刷装置を組み込んだものを用いて、インライン加工で行っても良く、あるいは吸収性物品の構成部材（第１実施形態では表面シート２）に印刷により予めインクを付与しておき、この印刷済みの構成部材を使って吸収性物品を作製しても良い。
【００４２】
表面シート２としては、当該技術分野において従来用いられている各種のものを特に制限なく用いることができ、例えば、親水処理が施された各種不織布や開孔フィルム等の液透過性のシートを用いることができ、特に不織布が好ましい。親水処理された不織布等を表面シートとして用いると体液の滲みが懸念されるが、本発明においては前述した撥水処理により、斯かる体液の滲みを防止できる。表面シート２に使用可能な不織布としては、例えば、エアスルー不織布、スパンボンド不織布、メルトブロー不織布、スパンボンド−メルトブロー不織布等が挙げられる。
【００４３】
また、表面シート２には、前述したように、インクの付与による着色処理を伴った撥水処理が施されるため、インクの発色性を高める観点から、表面シート２としては、特に、インクの塗工性が良好な不織布、即ち、構成繊維が密に充填され（繊維間の空隙が比較的小さく）、表面が平滑な不織布が好ましい。そのような不織布としては、例えば、エンボス処理されたエアスルー不織布；インク塗工面が２．２ｄｔｅｘ以下の繊維でより密な構造で構成されているような不織布等が挙げられる。従って、表面シート２としては、これらの不織布を含んで構成されているものが特に好ましい。
【００４４】
また、サイドシート６としては、当該技術分野において従来用いられている各種のものを特に制限なく用いることができ、例えば、例えば、撥水性の不織布や樹脂フィルム製のシートを用いることができる。特に撥水性のエアスルー不織布を用いることが、肌触りのよさと横モレ防止の点から好ましい。サイドシート６としては不織布と樹脂フィルムとのラミネート体を用いることもできる。また、サイドシート６に、表面シート２と同様に、インクの付与による着色処理を伴った撥水処理を施す場合には、少なくともインクが付与される部分は（撥水処理が施される部分）、前述した表面シート２の素材と同様のものを用いることが好ましい。
【００４５】
第１実施形態のナプキン１について更に説明すると、図１に示すように、ナプキン１の肌当接面（表面シート２の肌当接面２ａ）における、該ナプキン１の平面視において吸収体４と重なる領域には、表面シート２及び吸収体４が裏面シート３に向かって一体的に凹陥した、線状の溝部１１が形成されている。溝部１１は、平面視において、前記排泄部対向部を包囲する閉じた環を形成している。溝部１１においては、表面シート２及び吸収体４が熱融着等により一体化している。このように、ナプキン１の肌当接面側に、表面シート２と吸収体４とが一体化された溝部１１が形成されていることにより、吸収体４の平面方向の液の拡散が効果的に抑制されるようになり、また吸収体４のヨレを防止できる。溝部１１の形成は、経血等の排泄液の拡散防止、装着時の身体に対する密着性の向上等に特に有効である。溝部１１は、熱を伴うか又は伴わないエンボス、あるいは超音波エンボス等のエンボス加工により常法に従って形成することができる。
【００４６】
ナプキン１における各部の形成材料について説明すると、裏面シート３としては、当該技術分野において従来用いられている各種のものを特に制限なく用いることができる。裏面シート３は、液不透過性でも液透過性でも良く、例えば透湿性を有しない樹脂フィルムや、微細孔を有し、透湿性を有する樹脂フィルム、撥水不織布等の不織布、これらと他のシートとのラミネート体等を用いることができる。
【００４７】
吸収体４を構成する材料としては、当該技術分野において従来用いられている各種のものを特に制限なく用いることができ、例えば、木材パルプ、合繊繊維等の親水性繊維からなる繊維集合体、又は該繊維集合体に粒子状の高吸水性樹脂を保持させたもの等を用いることができる。また吸収体４は、該繊維集合体等からなる液保持性の吸収性コア（図示せず）と、該吸収性コアを被覆する液透過性のコアラップシート（図示せず）とを含んで構成されていても良く、その場合、吸収性コアとコアラップシートとの間は、所定の部位においてホットメルト粘着剤等の接合手段により接合されていても良い。吸収性コアを被覆するコアラップシートとしては、例えば、ティッシュペーパー等の紙や各種不織布、開孔フィルム等を用いることができる。吸収体４の中高部位を除く坪量は、好ましくは１００〜５００ｇ／ｍ2、更に好ましくは１５０〜３００ｇ／ｍ2である。
【００４８】
第１実施形態のナプキン１は、公知のウイング部を有する生理用ナプキンと同様に下着に装着して使用する。第１実施形態のナプキン１によれば、装着時に、前記排泄部対向部を挟んでナプキン１の長手方向Ｘの左右両側に配置された一対の第１接合線８が、中央部Ｂに開口部７１を形成すると共に、その前後に位置する二対の第２接合線９が、前方部Ａ及び後方部Ｃそれぞれに開口部７２を形成するため、幅方向Ｙの外方に移動した体液をこれらの開口部７１，７２で捕らえることができる。また、開口部７１が形成されている中央部Ｂのサイドシート被覆部２１には、撥水処理が施されているため、該部分における体液の滲みを抑えることができる。このような、サイド防漏部材５（サイドシート６）による体液捕捉効果と、撥水処理による体液の滲み防止効果とにより、第１実施形態のナプキン１は、側部における体液の漏れを起こし難い。
【００４９】
また、第１実施形態のナプキン１は、撥水処理が施された部分（中央部Ｂのサイドシート被覆部２１）が、印刷インクの付与によって、該部分を被覆するサイドシート６を介して肌当接面２ａ側から目視によって視認可能になっているため、該部分の存在を使用者に強く意識させ、使用者に防漏性に対する安心感を与えることができる。また、撥水処理が施された部分が印刷インクによって着色されているため、該部分の汚れが目立ちにくくなると共に、該部分に付着した体液を隠蔽し、体液の付着に起因する使用者の不快感や防漏性に対する不安感を低減することができる。
【００５０】
また、第１実施形態のナプキン１は、サイドシート６の表面シート２との接合部（第１接合線８、第２接合線９）が、図１に示す如き平面視において弧状となっているため、例えば該接合部が長手方向Ｘに直線状になっている場合に比して、装着時に、サイドシート６と表面シート２との接合部のヨレを防止でき、良好な装着感が得られ、前述した開口部７１，７２の形成が容易であり、印刷インクの付与に起因する作用効果に優れている。
【００５１】
以下に、本発明の吸収性物品の他の実施形態について図４〜図８を参照して説明する。後述する他の実施形態については、前述した第１実施形態と異なる構成部分を主として説明し、同様の構成部分は同一の符号を付して説明を省略する。特に説明しない構成部分は、第１実施形態についての説明が適宜適用される。
【００５２】
図４〜図６には、本発明の吸収性物品の第２実施形態である生理用ナプキンが示されている。尚、以下では、図５及び図６に基づいて、主としてナプキンの右側について説明するが、特に断らない限り、左側についても右側と同様に構成されている。第２実施形態のナプキン１は、図４に示すように、吸収性本体１０の長手方向Ｘに沿う両側部それぞれに配置された一対のサイド防漏部材１２，１２を備えている。
【００５３】
図５及び図６に示すように、表面シート２の長手方向Ｘに沿う両側縁２ｓ，２ｓは、吸収体４の長手方向Ｘに沿う両側縁４ｓ，４ｓと同位置にあり、吸収体４と裏面シート３との間には存していない。ここで、「表面シートの長手方向に沿う両側縁が、吸収体の長手方向に沿う両側縁と同位置にある」とは、表面シート２の両側縁２ｓ，２ｓが、それぞれ、吸収体４を厚み方向に二分して上層と下層とに分けた場合の上層（肌側の層）の表面上に存し、且つ吸収体４の側縁４ｓ（吸収体４において最も幅方向Ｙに突出している縁）から吸収体４の表面に沿って５ｍｍ以内に位置している場合を意味する。このように、表面シート２の長手方向に沿う両側部（両側縁２ｓ，２ｓ及びそれらの近傍）が吸収体４の両側部と同位置にあると、第１実施形態の如き、表面シート２の長手方向に沿う両側部が吸収体４の幅方向外方に延出している場合と同様に、ナプキンの構成部材の使用量の低減、製造コストの低下が図られる。
【００５４】
第２実施形態における一対のサイド防漏部材１２，１２は、それぞれ、図４及び図５に示すように、表面シート２の長手方向Ｘに沿う側部を被覆するサイドシート１３と、該サイドシート１３に伸長状態で固定された弾性部材１４とを含んで構成されており、いわゆる立体ギャザーである。各サイド防漏部材１２は、図４に示すように、吸収性本体１０の長手方向Ｘの全長に亘って設けられており、図５に示すように、吸収性本体１０の肌当接面側に該吸収性本体１０の長手方向に沿って起立する基壁部１５と、該基壁部１５の上端部１５ａに連接され、装着時に装着者の肌に当接する弾性伸縮部１６とを含んで構成されている。
【００５５】
弾性伸縮部１６は、上端部１５ａの長手方向の全長に亘って連接されている。弾性伸縮部１６には、吸収性本体１０の長手方向に沿って弾性部材１４が配されて弾性伸縮性が付与されている。サイド防漏部材１２（弾性伸縮部１６）の伸縮方向は吸収性本体１０の長手方向に一致している。弾性部材１４は、少なくとも中央部Ｂに配されており、更に前方部Ａ及び／又は後方部Ｃ側にも延びて配されていることが好ましい。
【００５６】
サイド防漏部材１２を構成するサイドシート１３は、長手方向Ｘに亘って一定の幅を有するシートで、基壁部１５及びその上端部１５ａに弾性伸縮部１６が連設された形状を有するように折り返されている。従って、サイドシート１３を折り返して形成されたサイド防漏部材１２は、図５に示すように、基壁部１５及び弾性伸縮部１６において２層構造となっている。サイドシート１３は、図５及び図６に示すように、表面シート２の肌当接面２ａに接合されている。基壁部１５の下端部１５ｂは、吸収体４と裏面シート３との間に介在配置されており、当該部位において接着剤等の公知の接合手段により固定されている。
【００５７】
第２実施形態においては、弾性伸縮部１６は、図５に示すように、基壁部１５の上端部１５ａから水平方向に張り出しており、これにより、面状（ナプキン１の平面視において面状）に形成されている。即ち、弾性伸縮部１６は、上端部１５ａから吸収性本体１０の幅方向Ｙの内方に略水平に張り出す内方弾性伸縮部１６Ａと、上端部１５ａから吸収性本体１０の幅方向Ｙの外方に略水平に張り出す外方弾性伸縮部１６Ｂとから構成されており、少なくとも中央部Ｂにおいて装着者の肌に面状に当接するようになっている。内方弾性伸縮部１６Ａの長手方向Ｘに沿う側縁は、サイドシート１３の内側縁部となっており、図４に示すように、ナプキン１の幅方向Ｙの中央部側に、長手方向Ｘに延びる直線状に形成されている。
【００５８】
内方弾性伸縮部１６Ａ及び外方弾性伸縮部１６Ｂそれぞれには、弾性部材１４が１本以上配されて弾性伸縮性が付与されている。弾性部材１４は、内方弾性伸縮部１６Ａ及び外方弾性伸縮部１６Ｂを構成する２層のサイドシート１３，１３の間に伸長状態で配されており、接着剤等の公知の接合手段によって両シート１３，１３に接合されている。このように、第２実施形態においては、内方弾性伸縮部１６Ａ及び外方弾性伸縮部１６Ｂは、両者が一体となって平面状に形成され、弾性伸縮部１６と基壁部１５とは、図５に示す如きサイド防漏部材（立体ギャザー）１２の幅方向Ｙの断面視において、Ｔ字状を形成している。
【００５９】
第２実施形態においては、図５に示すように、内方弾性伸縮部１６Ａ及び外方弾性伸縮部１６Ｂの張り出し幅は異なっているが、同じであっても良い。内方弾性伸縮部１６Ａの張り出し幅と外方弾性伸縮部１６Ｂの張り出し幅との比（前者：後者）は、立体ギャザーの平面部の体へのフィット性と使用時にギャザーが吸収面内側への倒れによる体液の付着防止の観点から、好ましくは３：1〜１：３、更に好ましくは２：１〜１：２である。また、内方弾性伸縮部１６Ａの長手方向に沿った自由端から外方弾性伸縮部１６Ｂの長手方向に沿った自由端までの長さ、即ち、面状の弾性伸縮部１６の幅は、フィット性及びサイド防漏部材１２を汚しにくくする観点から、１０〜２０ｍｍが好ましい。
【００６０】
サイド防漏部材１２は、図４及び図６に示すように、弾性伸縮部１６が吸収性本体１０に接合されている弾性伸縮部固定部１７を有している。弾性伸縮部固定部１７においては、弾性伸縮部１６が吸収性本体１０に接合されていることで基壁部１５の起立が阻害されているため、サイド防漏部材（立体ギャザー）１２は起立していない。弾性伸縮部固定部１７は、図６に示すように、弾性伸縮部１６の少なくとも内方弾性伸縮部１６Ａが、折り重ねられた基壁部１５を介して、吸収性本体１０を構成する表面シート２に固定されることで形成されている。
【００６１】
弾性伸縮部固定部１７は、図４に示すように、サイド防漏部材１２（弾性伸縮部１６）の長手方向Ｘの両端部に形成されており、前記排泄部対向部が存している中央部Ｂを含む、これら両端部に挟まれたサイド防漏部材１２の長手方向内方部には形成されていない。従って、サイド防漏部材（立体ギャザー）１２は、弾性伸縮部固定部１７が形成されている長手方向両端部においては起立しておらず、弾性伸縮部固定部１７が形成されていない前記長手方向内方部においては、弾性部材１４による収縮力によって起立している。また、弾性伸縮部１６の収縮によって、吸収性本体１０は、その長手方向の全体形状が、肌当接面側（表面シート２側）に凹状に湾曲している。
【００６２】
また、起立したサイド防漏部材１２と表面シート２との間には、装着時に開口する開口部７３が形成されている。より具体的には、起立したサイド防漏部材１２を構成するサイドシート１３は、図５に示すように、その長手方向Ｘに沿う内側縁部（内方弾性伸縮部１６Ａの長手方向Ｘに沿う側縁）よりも幅方向Ｙの外方において、吸収体４上にて表面シート２の側部の肌当接面２ａに接合されており、その接合部１８と該内側縁部との間に、装着時に開口する開口部７３が形成されている。
【００６３】
サイド防漏部材１２を構成するサイドシート１３としては、第１実施形態におけるサイドシート６と同様のものを用いることができる。また、サイド防漏部材１２を構成する弾性部材１４としては、当該技術分野において従来用いられている各種のものを特に制限なく用いることができ、糸状でも帯状でも良い。
【００６４】
第２実施形態においては、表面シート２におけるサイドシート１３に被覆された両側部に、前述した撥水処理が施されている。即ち、図５及び図６に示すように、表面シート２における、内方弾性伸縮部１６Ａ（サイドシート１３の内側縁部及びその近傍）の下方に位置する部分を含んで該部分よりも幅方向Ｙの外方に位置する、側部は、その全域がサイドシート１３に被覆されていてサイドシート被覆部２１となっており、該サイドシート被覆部２１の全域又は一部に、撥水処理が施されて撥水性を有している。より具体的には、前方部Ａ、中央部Ｂ及び後方部Ｃに亘って延びる、表面シート２のサイドシート被覆部２１のうち、装着時にサイド防漏部材１２が起立して開口部７３を形成する部分（中央部Ｂ及び後方部Ｃの該中央部Ｂ寄りの部分）に、前述した、印刷インクの付与による着色処理を伴った撥水処理が施されている。弾性伸縮部固定部１７が形成されている部分には、該撥水処理は施されていない。
【００６５】
第２実施形態のナプキンによっても第１実施形態と同様の効果が奏される。即ち、第２実施形態のナプキンによれば、いわゆる立体ギャザーとして機能するサイド防漏部材１２（サイドシート１３）による体液捕捉効果（体液の堰き止め効果）と、撥水処理による体液の滲み防止効果とにより、側部における体液の漏れを起こし難い。更に、使用時にサイド防漏部材１２（立体ギャザー）が吸収面内側へ倒れることによる、体液の付着を防止でき、見た目が与える安心感の効果も高い。また、撥水処理が施された部分（装着時に開口部７３が形成されている部分）が、印刷インクの付与によって、ナプキンを肌当接面（表面シート２の肌当接面２ａ）側から目視しときに視認可能になっているため、該部分の存在を使用者に強く意識させ、使用者に防漏性に対する安心感を与えることができる。また、撥水処理が施された部分が印刷インクによって着色されているため、該部分の汚れが目立ちにくくなると共に、該部分に付着した体液を隠蔽し、体液の付着に起因する使用者の不快感や防漏性に対する不安感を低減することができる。
【００６６】
図７には、本発明の吸収性物品の第３実施形態である生理用ナプキンの図５相当図が示されている。第３実施形態のナプキンは、弾性伸縮部２６が、基壁部１５の上端部１５ａから吸収性本体１０の幅方向Ｙの外方に略水平に張り出す外方弾性伸縮部のみから構成されている点で、第２実施形態と異なる。但し、第３実施形態における弾性伸縮部２６も、面状に形成されているという点では第２実施形態における弾性伸縮部１６と同じである。第３実施形態のナプキンによっても第２実施形態と同様の効果が奏される。
【００６７】
図８には、本発明の吸収性物品の第４実施形態である生理用ナプキンの図５相当図が示されている。第４実施形態のナプキンは、弾性伸縮部３６が面状に形成されていない点で、第２実施形態と異なる。即ち、弾性伸縮部３６は、基壁部１５の上端部１５ａから水平方向への張り出し幅が実質的に無いに等しく（張り出し幅２ｍｍ以下）、ナプキンの平面視において面状に形成されていない。第４実施形態のナプキンによっても第２実施形態と同様の効果が奏される。
【００６８】
以上、本発明をその好ましい実施形態に基づき説明したが、本発明は前記実施形態に制限されない。例えば、前記実施形態では、撥水処理は、表面シート２の肌当接面及び／又は非肌当接面のみに施されていたが、これに加えて、サイドシート６，１３における表面シート２との対向面（図１及び図４に示す如き平面視において、表面シート２と重なる面）に施されていても良く、あるいはサイドシート６，１３の該対向面のみに施されていても良い。また、撥水処理は、前記排泄部対向部を含む中央部Ｂに加えて、その前後に位置する前方部Ａ及び／又は後方部Ｃに施されていても良い。
【００６９】
また、第２及び第３実施形態において、サイド防漏部材１２（立体ギャザー）は、基壁部１５と弾性伸縮部１６，２６とが一体的に形成されていたが、互いに別体の基壁部１５と弾性伸縮部１６，２６とが接合されて形成されていても良い。
【００７０】
また、前記実施形態では、本発明の吸収性物品の適用例の一つとして生理用ナプキンを挙げたが、例えば、使い捨ておむつ、パンティライナー（おりものシート）、失禁パッド等にも適用できる。
【符号の説明】
【００７１】
１  生理用ナプキン（吸収性物品）
２  表面シート
２ａ  表面シートの肌当接面
３  裏面シート
４  吸収体
５，１２  サイド防漏部材
６，１３  サイドシート
７  ウイング部
８  第１接合線
９  第２接合線
１０  吸収性本体
１４  弾性部材
１５  基壁部
１６，２６，３６  弾性伸縮部
１６Ａ  内方弾性伸縮部（サイドシートの内側縁部）
１６Ｂ  外方弾性伸縮部
１７  弾性伸縮部固定部
２１  表面シートのサイドシート被覆部
６１  サイドシートの内側縁部
７１，７２，７３  開口部
Ａ  前方部
Ｂ  中央部
Ｃ  後方部
Ｘ  ナプキン長手方向
Ｙ  ナプキン幅方向
【図１】
0005548431.tif 000002
【図２】
0005548431.tif 000003
【図３】
0005548431.tif 000004
【図４】
0005548431.tif 000005
【図５】
0005548431.tif 000006
【図６】
0005548431.tif 000007
【図７】
0005548431.tif 000008
【図８】
0005548431.tif 000009